(57)【要約】      （修正有）【課題】印影の一致のみで、該当印鑑と認定される為、偽造されるという問題を防止する。【解決手段】印鑑１本に印影の他に識別の為の特徴を付加し、印影を含む複数の一致をもって該当印鑑として認定できるように、印面内に印影にはならない位置に文字列等の簡易加工を加えたり、印鑑外部に任意の文字列の簡易加工を加えたりする。契約者間で印影だけにたよらない確認ができ、印影からの偽造を防止できる。【選択図】図１
2005066837.tif 000002
【特許請求の範囲】
【請求項１】
印影からの印鑑偽造を防止する目的で、印面と削底面と異なる高さの位置に、印影としては出ないが、印面側から見ると識別可能なように、任意の数字・記号・文字・模様等を、単独又は複数個削り出す事により、この両者の一致をもって、該当印鑑である事を確認できるようにした事を特徴とする印鑑の外観形態であり、応用としての線引き・段付けを含む。
【請求項２】
印影からの印鑑偽造を防止する目的で、印面以外の所に任意の数字・記号・文字・模様等を単独又は複数個、削り出すか、シール等に印字して貼る等して、印影とこの文字列等の一致をもって該当印鑑である事を確認できるようにした事を特徴とする印鑑の外観形態。
【発明の詳細な説明】
【０００１】
【発明が属する技術分野】
本発明は、印鑑の外観形態に関する。
【０００２】
【従来の技術】
従来の印鑑は、印影の一致をもって、該当印鑑と認定され、種しゅの証明・契約等に使用されてきた。特に、手削りの実印鑑は、偽造が難しいとされ、これが、特に重要な場合に使用され、日本では、外国のサインにあたるものとして、独自のハンコ社会が形成されていた。
【特許文献１】
特開２００１−１６２１号広報
【特許文献２】
特開２００２−１５０２１２号広報
【０００３】
【発明が解決しようとする課題】
しかしながら、デジタルカメラ・スキャナー・パソコン及びソフトの発達により、偽造が困難とされていた実印鑑でも、印影から、簡単に偽造する事が可能となり、この偽造印鑑を使った犯罪が急増してきており、いわゆるハンコ社会も崩壊の危機にあるという課題が出てきている。
【０００４】
【課題を解決するための手段】
この課題を解決する為に、本発明は、印影のみによる一致確認を、印影と、印面内部又は印鑑外部の複数箇所の一致により、該当印鑑である事を確認できるようにする方法で、印影からの実印鑑等の偽造を不可能にする事ができる。この方法を示したのが「請求項１」及び「請求項２」である。
【０００５】
【発明の実施の形態】
本発明を実施するには、１つは、印面を削る際に印影以外の部分を全て同一高さに削りださずに印影として出ない位置に、任意の文字列等を削り出す。又は、判別可能な線引き・段付けを行う。１つは、印鑑外部に、任意の文字列等を削り出すかシール貼りを行う等して、印鑑外観に判別可能な複数の特徴を持たせる事により、特に、実印鑑の偽造を防止する事ができる。
【０００６】
【発明の効果】
以上、述べたように、印鑑の外観形態に本発明の方法を用いる事により、特に重要な実印鑑の偽造が、印影だけでは、もう一方のキーが不明な為、不可能になり、増加している偽造とそれを用いた犯罪が、皆無となる。
【図面の簡単な説明】
【図１】印面内に印影の他に、印影にはならないが、識別可能な文字列を削り出した実施例。
【図２】印面内に印影の他に、印影にはならないが、識別可能な線引きを削り出した実施例で、線は、直線・折れ線・曲線のいずれでもよい。
【図３】印鑑外部に文字列を削り出した実施例。
【図１】
2005066837.tif 000003
【図２】
2005066837.tif 000004
【図３】
2005066837.tif 000005
【手続補正書】
【提出日】平成16年4月26日(2004.4.26)
【手続補正１】
【補正対象書類名】明細書
【補正対象項目名】特許請求の範囲
【補正方法】変更
【補正の内容】
【特許請求の範囲】
【請求項１】
印影からの印鑑偽造を防止する目的で、印面と削底面と異なる高さの位置に、印影としては出ないが、印面側から見ると識別可能なように、任意の数字・記号・文字・模様等を、単独又は複数個削り出す事により、この両者の一致をもって、該当印鑑である事を確認できるようにした事を特徴とする印鑑の外観形態であり、応用としての線引き・段付け・位置の特定を含む。
【請求項２】
印影からの印鑑偽造を防止する目的で、印面以外の所に任意の数字・記号・文字・模様等を単独又は複数個、削り出すか、シール等に印字して貼る等して、印影とこの文字列等の一致をもって該当印鑑である事を確認できるようにした事を特徴とする印鑑の外観形態。
【手続補正書】
【提出日】平成16年7月14日(2004.7.14)
【手続補正１】
【補正対象書類名】明細書
【補正対象項目名】特許請求の範囲
【補正方法】変更
【補正の内容】
【特許請求の範囲】
【請求項１】
印影からの印鑑偽造を防止する目的で、印面と削底面と異なる、両者の間の高さの位置に、印影としては出ないが、印面側から見ると識別可能なように、任意の数字・記号・文字を、単独又は複数個削り出す事により、印影と共に、この両者の一致をもって、該当印鑑である事を確認できるようにした事を特徴とする印鑑の識別方法であり、応用としての線引き・段付け・位置の特定を含む。
【手続補正２】
【補正対象書類名】明細書
【補正対象項目名】０００４
【補正方法】変更
【補正の内容】
【０００４】
【課題を解決するための手段】
この課題を解決する為に、本発明は、印影のみによる一致確認を、印影と、印面内部の特徴、の両者の一致により、該当印鑑である事を確認できるようにする方法で、印影からの実印鑑等の偽造を不可能にする事ができる。この方法を示したのが、「請求項１」である。


【手続補正３】
【補正対象書類名】明細書
【補正対象項目名】０００５
【補正方法】変更
【補正の内容】
【０００５】
【発明の実施の形態】
本発明を実施するには、印面を削る際に印影以外の部分を全て同一高さに削りださずに印影として出ない位置に、任意の文字列等を削り出す。又は、判別可能な線引き・段付けを行う。又は、位置の特定をする。この事により、特に、実印鑑の偽造を防止する事ができる。


【手続補正４】
【補正対象書類名】明細書
【補正対象項目名】図３
【補正方法】削除
【補正の内容】
【手続補正５】
【補正対象書類名】図面
【補正対象項目名】図１
【補正方法】変更
【補正の内容】
【図１】
2005066837.tif 000006
【手続補正６】
【補正対象書類名】図面
【補正対象項目名】図２
【補正方法】変更
【補正の内容】
【図２】
2005066837.tif 000007
【手続補正７】
【補正対象書類名】図面
【補正対象項目名】図３
【補正方法】削除
【補正の内容】
【手続補正書】
【提出日】平成16年9月6日(2004.9.6)
【手続補正１】
【補正対象書類名】明細書
【補正対象項目名】特許請求の範囲
【補正方法】変更
【補正の内容】
【特許請求の範囲】
【請求項１】
印影から印鑑偽造を防止する目的で、印面と削底面と異なる、両者の間の高さの位置に、印影としては出ないが、印面側から見ると識別可能なように、任意の数字・記号・文字・線引き・段付けを、単独又は複数個削り出す事により、印影と共に、この両者の一致をもって、該当印鑑である事を確認できるようにした事を特徴とする印鑑の識別方法。